(57)【要約】【課題】鍵の頭部への固定強度及び耐久性が大きく、しかも着脱が容易であり、携帯性等の鍵に必要な諸機能を害することないキーカバーの提供を目的とするものである。【解決手段】合致状態で間に鍵の頭部が挿入可能な空間が形成される一対のカバーと、その空間に挿入された鍵の頭部の遊び部分に充填される粘土状の粘着剤とを備えており、該粘着剤としてブチル系ゴムが用いられてなる。【選択図】  図１
2004308149.tif 000002
【特許請求の範囲】
【請求項１】
合致状態で間に鍵の頭部が挿入可能な空間が形成される一対のカバーと、その空間に挿入された鍵の頭部の遊び部分に充填される粘土状の粘着剤とを備えており、
該粘着剤としてブチル系ゴムが用いられてなるキーカバー。
【請求項２】
上記各カバーは、その内面に複数の突条を有してなる、請求項１に記載のキーカバー。
【発明の詳細な説明】
【０００１】
【発明の属する技術分野】
本発明は、鍵の頭部をカバーするためのキーカバーに関するものである。
【０００２】
【従来の技術】
鍵は現代の生活において必要不可欠なものとなっており、外出時には複数の鍵を携帯するのが一般的であるが、鍵の頭部（鍵としての機能を発揮する軸部以外の部分であって、把持等に用いる部分を意味する）は把持可能なサイズの板状体であり、ほとんど意匠が凝らされておらず、どの鍵でもあまり差異はない。
【０００３】
一方、鍵の頭部に被せるゴム製のキーカバーが提案されている（例えば、特許文献１参照。）。また、鍵穴を照らすためのライトの付いたものや、紛失防止のための発信器、センサ等が内蔵されたものも市販されている。
【０００４】
【特許文献１】
特開平７−２４７７４２号公報  （第２頁）
【０００５】
【発明が解決しようとする課題】
上記従来のキーカバーは、ライトや紛失防止などの何らかの機能を付与するためのものであるため、厚みがあったり、大きくなったりしてしまい、携帯には逆に不便なものとなっている。
【０００６】
また、上記キーカバーと鍵との固定には、所定の厚さ及び柔軟性を有する両面粘着シート、または、エポキシ系接着剤など硬化する接着剤が用いられている。具体的には、キーカバーと鍵との間に両面粘着シートまたは接着剤を挿入して両者を固定している。前者の固定方法では、固定強度及び耐久性はあまり大きくない。従って、使用中に鍵からキーカバーが外れる虞がある。後者の固定方法では、固定強度および耐久性は良いが、接着剤が硬化するため、キーカバーを鍵から取り外すことが困難である。従って、同一のキーカバーに対して鍵を取り替えたり、鍵からキーカバーを除去したい場合に不便がある。
【０００７】
本発明はこれらの不都合に鑑みてなされたものであり、鍵の頭部への固定強度及び耐久性が大きく、しかも着脱が容易であり、かつ、携帯性等の鍵に必要な諸機能を害することのないキーカバーの提供を目的とするものである。
【０００８】
【課題を解決するための手段】
上記課題を解決するためになされた発明は、合致状態で間に鍵の頭部が挿入可能な空間が形成される一対のカバーと、その空間に挿入された鍵の頭部の遊び部分に充填される粘土状の粘着剤とを備えており、該粘着剤としてブチル系ゴムが用いられてなる。
【０００９】
この構成によれば、粘着剤が粘土状であるので、粘着剤を各カバーと鍵の頭部との間に挟み込むと、粘着剤は一対のカバー間の空間に対する鍵の頭部の遊び部分の形状に沿って変形し密に充填される。その結果、粘着剤がカバーおよび鍵の頭部に粘着する面積が大きくなる。これにより、カバーの鍵の頭部への固定強度が非常に大きくなり、その結果耐久性も格段に高いものになる。また、粘着剤としてブチル系ゴムを使用しているので、従来のエポキシ系接着剤のように硬化することもない。従って、カバーを開くことによって鍵の頭部から容易に取り外すことができる。
【００１０】
また、このカバーは、上述のように鍵の頭部のカバーのみを目的とし、従来のカバーのようなライト等は装備しないので、鍵の頭部を被覆できる最小の大きさにすることができ、携帯性を低減することもない。
【００１１】
上記各カバーは、その内面に複数の突条を有してもよい。これにより、粘着剤が各カバーに粘着する面積が増えるので、カバーと粘着剤との粘着をより強固かつ安定なものとすることができる。
【００１２】
【発明の実施の形態】
以下、適宜図面を参照しつつ本発明の実施の形態を詳説する。図１（ａ）は本発明の一実施形態に係るキーカバーの取付前の状態を示す斜視図で、図１（ｂ）は図１（ａ）のキーカバーを鍵に取付た状態を示す斜視図で、図２は図１（ａ）のキーカバーの一対のカバーを示す内面図である。
【００１３】
図１のキーカバー１は、一対のカバー２、３と粘土状の粘着剤４とから構成される。この一対のカバー２、３は双方とも、略同一形状の円盤状のものであり、外面がなだらかな凸状に湾曲するよう形成されている。また図２（ａ）、（ｂ）に示すように、一対のカバー２、３の内面側には凹状部５、６が形成されており、当該一対のカバー２、３の内面どうしを合致させた状態で、凹状部５と凹状部６とを合わせた空間に一般的な鍵２０の頭部２１が殆ど全て挿入できるような形状及び大きさに構成されている。
【００１４】
また、上記一対のカバー２、３の外周部には、上記凹状部５、６から連続する凹状溝７、８が形成されており、一対のカバー２、３が合致された状態で鍵２０の軸部２２を通すためのスリットが形成される。
【００１５】
さらに、カバー２、３には、楕円形の凸部９、１０がそれぞれ形成されている。カバー３の凸部１０には、カバー２の凸部９が嵌合する楕円形の凹部１０ａが形成されており、一対のカバー２とカバー３との位置合わせを容易かつ確実にしている。この凸部９および凹部１０ａの各中央部には、楕円形の開口部１１、１２がそれぞれ形成されており、当該キーカバー１を鍵２０の軸部２２に装着時にキーホルダー等の取付が可能な貫通穴１５が形成されるように構成されている（図１（ｂ）参照）。
【００１６】
また、カバー２、３の凹状部５、６の上記両凸部９、１０を除く部分には、複数の突条１３、１４が格子状にそれぞれ形成されている。これにより、粘着剤４がカバー２、３に粘着する面積を増加させることができるので、粘着剤４による粘着をより強固かつ安定にすることができる。
【００１７】
上記一対のカバー２、３の素材としては、適度な柔軟性、優れた耐久性と接着性、さらに成形性及び着色容易性などの点から、熱可塑性エラストマーやエンジニアリングプラスチックなどが好ましい。
【００１８】
粘土状の粘着剤４の素材として、ブチル系ゴムを使用することができる。このような粘着剤４としては、例えば、市販されているＢｏｓｔｉｋ  Ｆｉｎｄｌｅｙ  Ｉｎｃ．製のＢｌｕ・Ｔａｃｋ（商標）を使用することができる。この粘着剤４は、（ａ）粘土状（チューインガム状）であって、エポキシ系接着剤などとは異なり硬化しない、（ｂ）隙間充填性が高い、（ｃ）大抵の材質によく粘着する、（ｄ）粘着剤同士で転着し易いので取りはずしが容易である、（ｅ）耐薬品性等が高く、耐久性に優れるなどの利点がある。
【００１９】
次に、当該キーカバー１の取付方法について説明する。まず、粘着剤４を適量とり、一対のカバー２、３の両凹状部５、６にそれぞれ粘着する。次に、一対のカバー２、３の両凹状部５、６により形成される空間に鍵２０の頭部２１を挿入するよう一対のカバー２、３を合致させる。このとき、粘着剤４は一対のカバー２、３を合致後両凹状部５、６により形成される空間に対する頭部２１の遊び部分（余った部分）の中で変形し密に充填される。これにより、鍵２０の頭部２１への当該キーカバー１の取付が完了する。
【００２０】
続いて、当該キーカバー１の取り外し方法について説明する。まず、一対のカバー２、３をそれぞれ掴んで互いに離反させる。このとき、粘着剤４は伸びて途中で切れる。これにより、当該キーカバー１が鍵２０の頭部２１から取り外される。なお、取り外した一対のカバー２、３に粘着した粘着剤４についてはそのままの状態にしておく。これにより、この一対のカバー２、３の両凹状部５、６に新たに粘着剤４を粘着させることなく、一対のカバー２、３を別の鍵２０の頭部２１に粘着させることができる。一方、鍵２０の頭部２１に粘着した粘着剤４は上述したように粘土状であるので、指などで簡単に取り除くことができる。または、上述したように粘着剤は粘着剤同士で転着し易い性質を有するので、新しい粘着剤により転着させることにより容易に取り除くこともできる。
【００２１】
【発明の効果】
以上説明したように、本発明のキーカバーによれば、特にデザイン性に優れたものにすることができ、着色することでさらに見分け性及びファション性を向上させることができる。所有者のみが自分の所有するキーであることを確認することができる。また、当該キーカバーは、長期間にわたり使用できる耐久性をもつ。さらに、構造がシンプルであるため、低コストで製造が可能であり、鍵への取付、取り外しも非常に容易である。
【図面の簡単な説明】
【図１】（ａ）は本発明の一実施形態に係るキーカバーの取付前の分離状態を示す斜視図で、（ｂ）は（ａ）のキーカバーを鍵の頭部に取付けた状態を示す斜視図である。
【図２】（ａ）及び（ｂ）は図１（ａ）のキーカバーの一対のカバーを示す内面図である。
【符号の説明】
１  キーカバー
２  カバー
３  カバー
４  粘土状接着剤
５  凹状部
６  凹状部
７  凹状溝
８  凹状溝
９  凸部
１０  凸部
１０ａ  凹部
１１  開口部
１２  開口部
１３  突条
１４  突条
１５  貫通穴
【図１】
2004308149.tif 000003
【図２】
2004308149.tif 000004